(57)【要約】【課題】カード自動配布装置を提供する。【解決手段】カード自動配布装置は、机上面６にコンピュータ制御駆動部にり駆動される機器アーム１を有する。機器アーム１上に駆動部１１を設置し、駆動部上にカード２を吸着する吸盤１０を有し、机上面にカードケース３を有する。カードケース３は機器アーム１の吸盤１０が吸着できる位置に配置され、カードケース３の前端に取出口３０を有し、カードケース３上方は挿入口３１を有してカード２を充填し、机上面にカード２を検出する検出器４を有する。検出器４は機器アーム１の旋回範囲内に位置し、カード収納部５上に数個の載置部５０を有し、載置部５０の下方は係止部５１を有する。カード収納部５の下方に回収槽６０を有する。カードデータをコンピュータ中に入力し、コンピュータと接続される機器アーム１により、カードを吸着、検出、図柄模様と数字の読み取り、表示、カード収集動作を実行し、人手に頼らずカードの自動配布ができる。【選択図】図２
0003131020.tif 000002
【実用新案登録請求の範囲】
【請求項１】
カード自動配布装置であって、机上面に設置されコンピュータ制御による駆動部によって駆動される機器アームを有し、前記機器アームは駆動部と該駆動部の先端下方に伸びる支持部材に取り付けられたカード吸着用の吸盤を有してなり、前記機器アームに近接した位置には、前端にカード取出口を有し、かつ上方にはカード挿入口を有するカード収納用カードケースと、前記機器アームの吸盤により吸着された前記カードの記載内容を検出する前記機器アームの旋回範囲内に設けられた検出器とを備えると共に、前記机上面には前記機器アームの吸盤により吸着されたカードを載置解放するカード収納部を有し、前記カード収納部は複数の載置部が形成され、前記載置部の下方には移動可能な係止部を配設し、前記係止部の下方には開口を介して連通するカード回収槽を設けたことを特徴とするカード自動配布装置。
【考案の詳細な説明】
【技術分野】
【０００１】
本考案はカード自動配布装置に関し、特に、トランプなどのデータをコンピュータ中に入力し、コンピュータ制御による駆動部によって駆動する機器アームにより、トランプの吸着、検出、カードの種類と数字の読み取り、カードの表示、カード収集の動作を実行し、人手に頼らず自動的にカードを配布する装置に関する。
【背景技術】
【０００２】
トランプゲームの遊び方は多数あり、例えば、ブラックジャック、ポーカー、バカラ等で、これまでトランプゲームにあっては人手により一枚一枚カード配布の動作を行うようになっている。
しかし、人手による配布では仕掛けがされ得ることもあり、ゲームの公平性が失われる場合もある。
【考案の開示】
【考案が解決しようとする課題】
【０００３】
本考案は、コンピュータ制御による駆動部によって駆動される機器アームにより自動的にカードを配布することのできるカード自動配布装置を提供することを目的とする。
【課題を解決するための手段】
【０００４】
本考案は、カード自動配布装置であって、机上面に設置されコンピュータ制御による駆動部によって駆動される機器アームを有し、前記機器アームは駆動部と該駆動部の先端下方に伸びる支持部材に取り付けられたカード吸着用の吸盤を有してなり、前記機器アームに近接した位置には、前端にカード取出口を有し、かつ上方にはカード挿入口を有するカード収納用カードケースと、前記機器アームの吸盤により吸着された前記カードの記載内容を検出する前記機器アームの旋回範囲内に設けられた検出器とを備えると共に、前記机上面には前記機器アームの吸盤により吸着されたカードを載置解放するカード収納部を有し、前記カード収納部は区画された複数の載置部が形成され、前記載置部の下方には移動可能な係止部を配設し、前記係止部の下方には開口を介して連通するカード回収槽を設けたことを特徴とする。
【考案の効果】
【０００５】
本考案に係るカード自動配布装置は、トランプなどのカード表面に記載された図柄模様，色彩、アルファベット，数字等のデータをコンピュータ中にあらかじめ入力しておき、コンピュータ制御により駆動する機器アームにより、カードの吸着、検出、カードの図柄模様，色彩、アルファベット，数字等の読み取り、カードの表示、カード収集までの一連の動作を実行することができるので、人手に頼らず自動的にカードを配布することができる。また、カード自動配布動作を行うのでカード配布時の不正が防止できる効果がある。
【考案を実施するための最良の形態】
【０００６】
以下、本考案のカード自動配布装置に係る実施例について、図面と共に説明する。
【実施例】
【０００７】
本考案に係るカード自動配布装置の一実施例によれば、カードはトランプの場合に適用した例を示している。
本考案に係るカード自動配布装置は、図２に示すように、ゲーム専用台等の机上面６にコンピュータ制御される駆動部によって駆動される機器アーム１を設置し、前記機器アーム１は設置基台の上部に駆動部１１を有し、該駆動部１１の先端下面に垂下した支持腕の先端に吸盤１０が設けられており、トランプ２（以下、カードという）の外面を吸着するようになっている。  
【０００８】
また、机上面６には前記機器アーム１に対応させてカードケース３が配設してあり、前記カードケース３のカード２が機器アーム１の吸盤１０によって吸着される位置に設けてある。更に前記カードケース３の前端には、取出口３０が形成されると共に、カードケース３の上方にはカード挿入口３１が形成されており、前記カード２が収納されている。
【０００９】
前記机上面６にはコンピュータに接続された検出器４が配設されており、カード２のカード内面２０側に記載された図柄模様，色彩、アルファベット，数字等を検出して読み取り、コンピュータ（図示しない）に送信するようになっている。前記検出器４の取り付け位置は、前記機器アーム１の吸盤１０の旋回範囲内に設置されている。
【００１０】
前記検出器４の近傍にはカード収納部５が設けられ、カード内面２０側が見えるように（図８参照）収納載置できるようになっている。前記カード収納部５は数個など複数の区画された載置部５０を有し、載置部５０の下方には移動可能な係止部５１が設けられている。
【００１１】
前記カード収納部５下方には開口５２を介して連通するカードの回収槽６０を有し、前記係止部５１に係止されていたカード２が係止部５１の移動でカード回収槽６０に落下回収される。
【００１２】
以上のように構成された本考案のカード自動配布装置の使用にあっては、図１の動作順序に示すように、カード２の内面側に記載された図柄模様，色彩、アルファベット，数字等のカード情報データをコンピュータに保存しておく。
【００１３】
次に、コンピュータ制御による駆動部によって、前記機器アーム１を駆動し、吸盤１０をカードケース３の取出口３０に移動して、第一カード２を吸着して取り出す（図３〜図５）。
【００１４】
そして、前記機器アーム１により、吸着したカード２を検出器４上方を通過するように旋回移動させて、カード２の内面側に記載した図柄模様，色彩、アルファベット，数字等の検出と読み取りを実行する（図６）。
【００１５】
更に、検出されたカード２の種類と数字を音声で読み出しすると共に、前記機器アーム１の駆動部１１の作動により、吸着したカード２を転向させてカード内面２０を表示する（図７）。
【００１６】
更に、前記コンピュータ制御による機器アーム１により、吸着したカード２をカード収納部５上方に移動させ、カード２を載置部５０上方に配置させ（図８）、機器アーム１の吸盤１０における吸着機能を解消することで、カード２を吸着せずにカード２を載置部５０内に載置し、カード収納部５の係止部５１により定位される（図９）。
【００１７】
前記カード収納部５上のカード２を使用後に回収したい時には、カード収納部５の係止部５１を移動させ、載置部５０内のカード２を開口５２から回収槽６０内に落下させて収集して人手によって前記カードケース３に戻し、前記機器アーム１は元の始動位置に戻される（図１０）。
【００１８】
このように、本考案のカード自動配布装置は、機器アーム１を作動させて、カード２を吸着し、検出し、種類と数字を読み取り、表示し、載置し、回収する動作を自動的に人手に頼らずに実行するようにするため、ゲーム中に不正をすることができず、これによりカード配布に信用性があり、カードを配る人手も不要である。
【００１９】
以上のように構成された本考案のカード自動配布装置の実施例によれば、以下のような長所がある。
１．コンピュータ制御によって駆動する機器アームを作動することによりカード自動配布動作ができるので、カード配布が極めて容易である。
２．コンピュータ制御によって駆動する機器アームが作動して、カード自動配布動作を行うので、カード配布時の不正が防止できる。
３．カードが自動配布されるので、人手が不要である。
【００２０】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案明の保護範囲は、実用新案登録請求の範囲で指定した内容を基準とする。
【図面の簡単な説明】
【００２１】
【図１】本考案のカード自動配布装置の動作順序を示す説明図である。
【図２】本考案のカード自動配布装置の実施例を示す全体斜視図である。
【図３】本考案のカード自動配布装置における機器アームの未動作状態斜視図である。
【図４】本考案のカード自動配布装置の実施例における機器アームのカードの吸着状態斜視図である。
【図５】本考案の機器アームのカード抽出状態斜視図である。
【図６】本考案の機器アームードを検出器上方に移動させる状態斜視図である。
【図７】本考案の機器アームのカードを転向させて表示する状態斜視図である。
【図８】本考案の機器アームのカードをカード収納部上方に移動させる状態斜視図である。
【図９】本考案の機器アームがカードを吸持せず、カード収納部内に落とす状態斜視図である。
【図１０】本考案のカードを収集し、機器アームにより元の位置に戻す状態斜視図である。
【符号の説明】
【００２２】
１    機器アーム
１０  吸盤
１１  駆動部
２    トランプカード
２０  カード内面
３    カードケース
３０  取出口
４    検出器
５    カード収納部
５０  載置部
５１  係止部
５２  開口
６    机上面
６０  回収槽
【図１】
0003131020.tif 000003
【図２】
0003131020.tif 000004
【図３】
0003131020.tif 000005
【図４】
0003131020.tif 000006
【図５】
0003131020.tif 000007
【図６】
0003131020.tif 000008
【図７】
0003131020.tif 000009
【図８】
0003131020.tif 000010
【図９】
0003131020.tif 000011
【図１０】
0003131020.tif 000012